(57)【特許請求の範囲】
【請求項１】
下水管の補修区間部に通じる間隔をおいた第一と第二の作業口のうち第一の作業口近傍において、光源ユニット挿入用牽引ワイヤを両端部の突出状態で挿通するとともに遮光性の筒状外フィルムと透光性の筒状内フィルムの間に可視光硬化性樹脂を含浸した筒状補修シートを挟んでなる補修用シート筒材の閉鎖状態の先端部に、該先端部から突出する光源ユニット挿入用牽引ワイヤを介して、下水管の補修区間部を通して第一と第二の作業口近傍部間を延在する補修用シート筒材挿入用牽引ワイヤの後端部を連結した後、第二の作業口近傍における補修用シート筒材挿入用牽引ワイヤの牽引操作を介して、補修用シート筒材を第一の作業口から先端部が第二の作業口側の下水管の補修端部に位置するまで挿入する補修用シート筒材挿入工程と、下水管内に挿入した補修用シート筒材内に第一の作業口側の後端部から圧縮空気を導入して、補修用シート筒材を膨張し、下水管の内面に接触させる補修用シート筒材膨張行程と、第一の作業口近傍において牽引可能な光源ユニット後退用牽引ワイヤを連結するとともに該作業口近傍において電源と圧縮空気源に接続しかつ内部に光源を収容し外部に透光性のゴムスリーブを付設した光源ユニットを、第二の作業口近傍における光源ユニット挿入用牽引ワイヤの牽引操作を介して、膨張状態の補修用シート筒材の先端部まで挿入する光源ユニット挿入工程と、光源ユニットのゴムスリーブ内に圧縮空気を導入し、その膨張を介して、補修用シート筒材を対向する下水管の内面部に圧接した後、光源ユニットの光源を点灯して、下水管の内面部に圧接状態の補修用シート筒材の補修シートに含浸の可視光硬化性樹脂を硬化させる初回の補修用シート筒材固着工程と、光源ユニットの光源の消灯とゴムスリーブの収縮後の第一の作業口近傍における光源ユニット後退用牽引ワイヤの牽引操作による光源ユニットの所定距離の後退操作を挟んで行う複数回の後続の補修用シート筒材の固着工程と、複数回の後続の補修用シート筒材固着工程後、第一の作業口近傍における光源ユニット後退用牽引ワイヤの牽引操作を介して、光源ユニットを下水管の内部から第一の作業口近傍に取り出す光源ユニット取出し工程とからなる、下水管の可視光硬化性樹脂被覆式補修方法。
【請求項２】
光源ユニット取出し工程後に、内フィルムの先端部に光源ユニット挿入用牽引ワイヤを連結し、第一の作業口近傍における光源ユニット挿入用牽引ワイヤの牽引操作を介して、内フィルムを剥離する内フィルム除去工程を付加する、請求項１記載の補修方法。
【発明の詳細な説明】
【０００１】
【発明の属する技術分野】
この発明は、下水管の内面を可視光硬化性樹脂による被覆方式で補修する方法に関するものである。
【０００２】
【従来の技術】
従来においては、下水管の可視光硬化性樹脂の被覆による補修は、外周部に圧縮空気により膨張可能な透光性のゴムスリーブを有する光源ユニット（可視光照射ユニット）を、そのゴムスリーブの外周部に光硬化性樹脂を含浸した補修シート筒材を取り付けた状態で、下水管の作業口を通してその補修部位まで挿入し、該補修部位で光源ユニットのゴムスリーブ内に圧縮空気を供給して膨張させることにより、補修シート筒材を下水管の内面に圧接した後、光源ユニットを点灯して、補修シート筒材に含浸した光硬化性樹脂を硬化することにより、補修シート筒材を下水管の内面に固着させ、この後ゴムスリーブを収縮させてから光源ユニットを下水管の作業口外に取り出すという形態で行っている。
【０００３】
このような従来の補修方法では、下水管における一回当たりの補修長さは、ほぼ光源ユニットの長さに相当している。従って最近補修の要望が増大しつつある下水管の隣接するマンホール間のように、下水管の数１０ｍにも及ぶような長い区間部を補修する場合には、上記の操作を何回も繰り返す必要があることから、補修に時間がかかり、コストも高くつくという問題がある。
【０００４】
また従来の補修方法では、機械的強度が高いとは言えない補修シート筒材をそのまま光源ユニットのゴムスリーブに取り付けて使用するので、下水管への挿入時に、下水管の内面に擦れて、損傷するという問題もある。
【０００５】
【発明が解決しようとする課題】
この発明は、従来の補修方法に認められる上記のような問題に鑑み、下水管の相当長い区間部を短時間に補修することができるとともに、下水管への挿入時に光硬化性樹脂含浸の補修シート筒材を損傷する恐れが無い補修方法を提供することを課題としている。
【０００６】
【課題を解決するための手段】
この発明に係る補修方法は、下水管の補修区間部に通じる間隔をおいた第一と第二の作業口のうち第一の作業口近傍において、光源ユニット挿入用牽引ワイヤを両端部の突出状態で挿通するとともに遮光性の筒状外フィルムと透光性の筒状内フィルムの間に可視光硬化性樹脂を含浸した筒状補修シートを挟んでなる補修用シート筒材の閉鎖状態の先端部に、該先端部から突出する光源ユニット挿入用牽引ワイヤを介して、下水管の補修区間部を通して第一と第二の作業口近傍部間を延在する補修用シート筒材挿入用牽引ワイヤの後端部を連結した後、第二の作業口近傍における補修用シート筒材挿入用牽引ワイヤの牽引操作を介して、補修用シート筒材を第一の作業口から先端部が第二の作業口側の下水管の補修端部に位置するまで挿入する補修用シート筒材挿入工程と、下水管内に挿入した補修用シート筒材内に第一の作業口側の後端部から圧縮空気を導入して、補修用シート筒材を膨張し、下水管の内面に接触させる補修用シート筒材膨張行程と、第一の作業口近傍において牽引可能な光源ユニット後退用牽引ワイヤを連結するとともに該作業口近傍において電源と圧縮空気源に接続しかつ内部に光源を収容し外部に透光性のゴムスリーブを付設した光源ユニットを、第二の作業口近傍における光源ユニット挿入用牽引ワイヤの牽引操作を介して、膨張状態の補修用シート筒材の先端部まで挿入する光源ユニット挿入工程と、光源ユニットのゴムスリーブ内に圧縮空気を導入し、その膨張を介して、補修用シート筒材を対向する下水管の内面部に圧接した後、光源ユニットの光源を点灯して、下水管の内面部に圧接状態の補修用シート筒材の補修シートに含浸の可視光硬化性樹脂を硬化させる初回の補修用シート筒材固着工程と、光源ユニットの光源の消灯とゴムスリーブの収縮後の第一の作業口近傍における光源ユニット後退用牽引ワイヤの牽引操作による光源ユニットの所定距離の後退操作を挟んで行う複数回の後続の補修用シート筒材の固着工程と、複数回の後続の補修用シート筒材固着工程後、第一の作業口近傍における光源ユニット後退用牽引ワイヤの牽引操作を介して、光源ユニットを下水管の内部から第一の作業口近傍に取り出す光源ユニット取出し工程とからなる。
【０００７】
この発明の補修方法においては、一般に、光源ユニットの取出し後は、既に光源ユニットの挿入の目的を果たした光源ユニット挿入用牽引ワイヤを用いて、後述するような補修シートの内面部の保護上からは残存させなくても支障が無い内フィルムを除去するために、光源ユニット取出し工程後に、内フィルムの先端部に光源ユニット挿入用牽引ワイヤを連結し、第一の作業口近傍における光源ユニット挿入用牽引ワイヤの牽引操作を介して、内フィルムを剥離する内フィルム除去工程を付加することができる。
【０００８】
補修用シート筒材を形成する光硬化性樹脂含浸の補修シートとしては、布状、マット状等の繊維シート（ガラス繊維シート、炭素繊維シート、アラミド繊維シートなど）等を用いることができ、内フィルムや外フィルムとしては、ポリエチレンフィルムなどのプラスチックフィルム類を用いることができる。
【０００９】
可視光硬化性樹脂としては、可視光線（３８０〜７８０ｎｍ）又は短波長の近赤外線（７８０〜１２００ｎｍ）による硬化性を有するビニルエステル樹脂、不飽和ポリエステル樹脂などを用いることができる。
【００１０】
光源ユニットとしては、その内部に、蛍光灯、メタルハライドランプなどの可視光源用ランプを収容し、かつ外部にゴムスリーブとともに移動用車輪を付設したものを用いる。
【００１１】
なおこの発明における補修用シート筒材は、例えば筒状の内フィルム、補修シート及び外フィルムを内外に重ねて形成するシート筒材の一端を閉鎖した状態で、該シート筒材の他端から外フィルムと補修シートの間又は内フィルムと補修シートの間に、可視光硬化性樹脂を導入した後、全体を加圧ローラにより加圧して、可視光硬化性樹脂を補修シートに均一に含浸させる方法など、種々の方法で形成することができる。
【００１２】
【発明の実施の形態】
以下図１〜図４に基づいて、この発明に係る補修方法の隣接するマンホール間の下水管全長に関する実施形態を工程順に説明する。
【００１３】
（１）補修用シート筒材挿入工程
図１に示すように、光源ユニット挿入用牽引ワイヤ１３を挿通した補修用シート筒材１１を、巻軸１２における巻取り状態で、第一のマンホール２７外に設置し、その先端部を閉鎖状態で、下水管２６内を通して両マンホール２７、２８外間に延在させた補修用シート筒材挿入用牽引ワイヤ１４（この牽引ワイヤ１４の下水管２６内の延在は、例えば通常補修前に行う高圧洗浄車による下水管洗浄作業時に、管内を往復移動する洗浄ノズルユニットを利用して管内に挿通することにより行う）の後端部に連結するとともに牽引ワイヤ１３の先端部を牽引ワイヤ１４の後部に連結する一方、第二のマンホール２８外に、牽引ワイヤ１４の先端部を巻き掛けたウインチ１５を設置し、該牽引ワイヤ１４をウインチ１５で巻取ることにより、補修用シート筒材１１を第一のマンホール２７外から下水管２６中を第二のマンホール２８側に牽引して、その先端部が下水管２６の補修の先端部である第二のマンホール２８の底部隣接部に位置する状態まで挿入する。この後補修用シート筒材１１が長過ぎる場合には、後部を第一のマンホール２７外で切除する一方、牽引ワイヤ１４は、牽引ワイヤ１３の先端部の連結部で、補修用シート筒材１１との連結を解除し、以後ウインチ１５で牽引ワイヤ１３のみを巻取り可能な状態にする。
【００１４】
（２）補修用シート筒材膨張工程及び光源ユニット挿入工程
上記に続いて、図２に示すごとく、第一のマンホール２７外において、補修用シート筒材１１の後端部に、空圧機２３に接続した回転弁形蓋２５（詳細は図示せず）付きの空気管ユニット２４を接続して、補修用シート筒材１１の内部に圧縮空気を導入し、補修用シート筒材１１をほぼ下水管３３の内面部に接触する状態まで膨張させた後、エアホース２０、電気ケーブル２１及び光源ユニット後退用牽引ワイヤ２２の先端部並びに牽引ワイヤ１３の後端部を接続した透光性のゴムスリーブ１８及び移動用車輪（図示せず）付きの光源ユニット１６を、牽引ワイヤ１３をウインチ１５を介して巻取ることにより、回転弁形蓋２５を開けた空気管ユニット２４を通して、補修用シート筒材１１の先端部まで挿入する。
【００１５】
（３）初回及び後続の補修用シート筒材固着工程
次いで、図３に示すように、回転弁形蓋２５の閉鎖状態で、エアホース２０を通して光源ユニット１６のゴムスリーブ１８内に圧縮空気を供給して膨張し、これにより補修用シート筒材１１を下水管２６の対向部に圧接した後、電気ケーブル２１を介した給電により、光源ユニット１６の蛍光灯１７を点灯させて、補修用シート筒材１１中の補修シート（図示せず）に含浸してある可視光硬化性樹脂を硬化させ、補修用シート筒材１１の先端部を外フィルム（図示せず）を介して下水管２６の内面部に固着する。
【００１６】
この後光源ユニット１６を、蛍光灯１７の消灯とゴムスリーブ１８の収縮後の第一のマンホール２７外に設置したウインチ（図示せず）を介した牽引ワイヤ２２の巻取り操作によって、所定距離（下水管２６の隣接の補修部まで）後退させては、補修用シート筒材固着工程を反復して行って、補修用シート筒材１１を下水管２６の第一のマンホール２７の底部隣接部までの区間部に順次固着する。
【００１７】
（４）光源ユニット取出し工程
上記の補修用シート筒材固着工程が終了後、第一のマンホール２７外におけるウインチを介した牽引ワイヤ２２の巻取り操作によって、光源ユニット１６を下水管２６から第一のマンホール２７外へ取り出す。
【００１８】
（５）内フィルム除去工程
光源ユニット１６の取り出し後は、補修用シート筒材１１の例えば第一のマンホール２７内をのびる余剰部を切除する一方、図４に示すように、補修用シート筒材１１の先端部の閉鎖状態を解除するとともに該先端部の内フィルム１１ａに牽引ワイヤ１３を連結した後、第一のマンホール２７外におけるウインチによる該牽引ワイヤ１３の巻取り操作によって、下水管２６に固着した補修用シート筒材１１から内フィルム１１ａを剥離して除去する。
【００１９】
この発明の補修方法は、このほか種々の形態で実施することができるもので、上記の形態に限定されるものではない。
【００２０】
【発明の効果】
以上説明したように、この発明の補修方法によれば、下水管に導入した光源ユニットを、下水管内を単位長さずつ後退させながら、その相当長い補修区間部を補修するので、従来の補修方法に比べて、長い補修区間部を能率的にかつ低コストで補修することができる。
【００２１】
またこの発明の補修方法においては、補修作用をつかさどる可視光硬化性樹脂を含浸した補修シートは内外が内フィルムと外フィルムで保護された状態であるので、下水管に挿入する際に、下水管に擦れても、損傷する恐れがないとともに、光源ユニットの挿入時や取出し時に、光源ユニットによって傷付けられることもない。さらに光源ユニット挿入用牽引ワイヤは、内フィルムの除去に活用しながら撤去することができる。
【図面の簡単な説明】
【図１】この発明の一実施形態の補修用シート筒材挿入工程を示す略図である。
【図２】この発明の一実施形態の光源ユニット挿入工程を示す略図である。
【図３】この発明の一実施形態の補修用シート筒材固着工程を示す略図である。
【図４】この発明の一実施形態の内フィルム除去工程を示す略図である。
【符号の説明】
１１    補修用シート筒材
１１ａ  内フィルム
１３    光源ユニット挿入用牽引ワイヤ
１４    補修用シート筒材挿入用牽引ワイヤ
１５    ウインチ
１６    光源ユニット
１７    蛍光灯
１８    ゴムスリーブ
２０    エアホース
２１    電気ケーブル
２２    光源ユニット後退用牽引ワイヤ
２６    下水管
２７    第一のマンホール
２８    第二のマンホール
【図１】
0003883897.tif 000002
【図２】
0003883897.tif 000003
【図３】
0003883897.tif 000004
【図４】
0003883897.tif 000005